(57)【要約】【課題】シート原稿等のシートのジャム処理性を向上させ、かつ装置の小型化を実現するシート給送装置を提供する。【解決手段】原稿載置台２からピックアップローラ１０によって給送されたシートＳを分離ローラ５と分離パッド１５との圧接部に通して１枚ずつ分離して給送する構成のシート給送装置において、ピックアップローラ１０を支持するピックアップアーム１６と分離パッド保持部材２６に互いに当接する第１解除コロ２３，第２解除コロ２４を設け、ピックアップアーム１６を所定角度回転すると、第１解除コロ２３が第２解除コロ２４に当接し、所定角度以上回転すると、第１解除コロ２３が第２解除コロ２４を移動させて分離ローラ５と分離パッド１５の圧接を解除する。【選択図】図４
2007176679.tif 000002
【特許請求の範囲】
【請求項１】
複数枚のシートが載置可能なシート載置台と、該シート載置台上のシートを給送する給送手段と、該給送手段に対してシート給送方向下流側に所定間隔を隔てて配置される分離ローラと、該分離ローラに対して所定圧で圧接される圧接部材と、を備え、前記給送手段によって給送されたシートを分離ローラと圧接部材との圧接部に通して１枚ずつ分離して給送する構成で、
前記給送手段は支持部材を介して前記分離ローラの回転軸を中心にシート載置台に対して接離する方向に旋回自在に支持され、前記圧接部材は圧接部材保持部材によって保持されているシート給送装置において、
前記給送手段支持部材と圧接部材保持部材には、前記給送手段の旋回移動に連動して互いに接離する圧接解除当接部を設け、該圧接解除当接部は前記給送手段がシート載置台上のシートに圧接されている状態においては離間状態で、前記給送手段がシート載置台から離間する方向に所定角度旋回移動すると係合し、さらに給送手段を離間方向に旋回することにより圧接解除当接部を介して圧接部材保持部材を押圧することにより圧接部材を分離ローラから離間可能とし、前記給送手段支持部材と圧接部材保持部材の各圧接解除当接部の少なくともいずれか一方を転がり接触する解除コロにより構成したことを特徴とするシート給送装置。
【請求項２】
前記圧接部材が分離パッドであることを特徴とする請求項１記載のシート給送装置。
【請求項３】
前記給送手段支持部材と前記圧接部材保持部材のそれぞれの圧接解除当接部は、いずれも解除コロにより構成され、それぞれの解除コロは、同材質の構成であることを特徴とする請求項１または２記載のシート給送装置。
【請求項４】
前記シートがシート状の原稿であって、原稿読取部に原稿を給送する給送部が、請求項１乃至３のいずれか１項記載のシート給送装置である
ことを特徴とする原稿読取装置。
【請求項５】
シートを画像形成部に給送する給送部が、請求項１乃至３のいずれか１項記載のシート給送装置である
ことを特徴とする画像形成装置。
【発明の詳細な説明】
【技術分野】
【０００１】
本発明は、シート給送装置およびこれを備えた原稿読取装置ならびに画像形成装置に関し、特に給送手段に送り出されたシートを、分離ローラおよび分離パッド等を備えた分離部により分離する技術に適用して好適なものである。
【背景技術】
【０００２】
従来、複写機やファクシミリといった画像形成装置、またはスキャナなどの原稿読取装置においては、シート給送装置が備えられている。このシート給送装置は、シート載置台に載置されたシートが、給送手段であるピックアップローラによって、最上位のシートが１枚ずつ順次送り出されるものである。その後、分離部により一枚ずつ分離されて画像形成部や画像読取部に給送される。
【０００３】
ここで、例えば原稿読取装置に設けられた、シート給送装置として、ピックアップローラにより送り出されたシートを分離ローラおよび分離ローラに圧接する分離パッドを備えたデュプロ方式の分離部により１枚ずつ分離して給送するものが挙げられる。
【０００４】
ところで、このようなデュプロ方式を採用したシート給送装置においては、分離ローラと分離パッドが同一フレームに支持されている場合がある。そのような場合、仮に原稿がジャムした際には、分離パッドを分離ローラから離間する解除部材を操作することにより、分離パッドを分離ローラから離間させてジャム処理を行うようにしている。
【０００５】
図６は、このような分離パッド解除機構を示す斜視図であり、同図において、４２は分離ローラ、４０は分離パッド、４１は分離パッド４０を保持している分離パッドホルダ、４９は解除部材である分離パッド解除レバーである。ここで、この分離パッド解除レバー４９の一端部は、分離パッドホルダ４１に組み込まれている。
【０００６】
そして、原稿のジャムが発生した場合は、まず、分離パッド解除レバー４９の他端部に取り付けられた操作レバー４９ａを図中矢印の方向に回転させ、分離パッド解除レバー４９の一端部に設けられた押し下げ部４９ｂを下方回動させる。これにより、分離パッドホルダ４１が軸４１ａを支点として押し下げられ、分離パッド４０が分離ローラ４２から離間させ、ジャム処理を行うようにしている（例えば、特許文献１参照）。
【特許文献１】特開２００３−０３７７０６号公報
【発明の開示】
【発明が解決しようとする課題】
【０００７】
しかしながら、上述した分離パット解除機構の場合、操作レバー４９ａをシート原稿の搬送の妨げにならないように、原稿幅よりも装置外側に設ける必要があるため、装置が大型になるという問題があった。
【０００８】
したがって、この発明の目的は、シートのジャム処理性を向上させ、かつ装置の小型化を実現するシート給送装置およびこれを備えた原稿読取装置ならびに画像形成装置を提供することにある。
【課題を解決するための手段】
【０００９】
上記目的を達成するために、本発明は、
複数枚のシートが載置可能なシート載置台と、該シート載置台上のシートを給送する給送手段と、該給送手段に対してシート給送方向下流側に所定間隔を隔てて配置される分離
ローラと、該分離ローラに対して所定圧で圧接される圧接部材と、を備え、前記給送手段によって給送されたシートを分離ローラと圧接部材との圧接部に通して１枚ずつ分離して給送する構成で、
前記給送手段は支持部材を介して前記分離ローラの回転軸を中心にシート載置台に対して接離する方向に旋回自在に支持され、前記圧接部材は圧接部材保持部材によって保持されているシート給送装置において、
前記給送手段支持部材と圧接部材保持部材には、前記給送手段の旋回移動に連動して互いに接離する圧接解除当接部を設け、該圧接解除当接部は前記給送手段がシート載置台上のシートに圧接されている状態においては離間状態で、前記給送手段がシート載置台から離間する方向に所定角度旋回移動すると係合し、さらに給送手段を離間方向に旋回することにより圧接解除当接部を介して圧接部材保持部材を押圧することにより圧接部材を分離ローラから離間可能とし、前記給送手段支持部材と圧接部材保持部材の各圧接解除当接部の少なくともいずれか一方を転がり接触する解除コロにより構成したことを特徴とする。
【発明の効果】
【００１０】
本発明によれば、給送手段支持部材と圧接部材保持部材に一対の圧接解除当接部を設けたので、圧接部材の解除する機構をシート幅内に設けることが可能となり、装置の小型化を実現できる。また、一対の圧接解除当接部の少なくとも一方を解除コロにより構成したので、ジャムしたシートを解除コロの転がりによって容易に抜き取ることができる。
【発明を実施するための最良の形態】
【００１１】
以下に、本発明の実施形態について図面を参照しつつ説明する。図１に、この発明の実施形態によるシート原稿の原稿読取装置の外観構成を示す。図１において、５０は原稿読取装置全体を示す。この原稿読取装置５０は、原稿読取部（図示せず）が設けられている読取装置本体５１と、この読取装置本体５１の上部に読取装置本体５１に原稿を給送するシート給送装置である原稿給送装置１とが取り付けられている。
【００１２】
原稿給送装置１は、給送装置本体１Ａと、給送装置本体１Ａに送り込むシートとしての原稿を載置可能なシート載置台としての原稿載置台２と、給送装置本体１Ａから排出される原稿を載置する原稿排出台３とを備えている。原稿排出台３は読取装置本体５１上面の原稿カバーの上面によって構成され、その一端部に給送装置本体部１Ａが配置されている。原稿載置台２は給送装置本体部１Ａから原稿排出台３の上方に延びている。
【００１３】
原稿載置台には、原稿の搬送方向と直交する幅方向に移動して原稿載置台２に載置された原稿の両側端を揃えるスライダが設けられている。
【００１４】
給送装置本体１Ａの内部には、図２に示すように、原稿載置台２と原稿排出台３間を接続する略Ｕ字状の原稿搬送路（以下、Ｕターンパスという）１４が設けられている。Ｕターンパス１４の上流端側には原稿載置台２とともにシート載置台を構成する下ガイドフレーム２２が設けられ、Ｕターンパス１４の下流端側に原稿排出台３が設けられている。原稿載置台２には、積載された原稿Ｓの先端位置を規制する原稿ストッパ９と、原稿載置台２上の原稿Ｓの有無を検知する原稿有無センサ６とが設けられている。
【００１５】
Ｕターンパス１４の上流部には、原稿載置台２に積載された原稿Ｓの最上位の原稿Ｓ１に当接して、これを送り出す給送手段であるピックアップローラ１０が設けられている。ピックアップローラ１０に対するシート給送方向下流側には、所定間隔を隔てて配置される分離ローラ５と、分離ローラ５に対して所定圧で圧接される圧接部材としての分離パッド１５とが設けられている。これらの分離ローラ５と分離パッド１５によって、ピックアップローラ１０により送り出された原稿Ｓ１が１枚ずつに分離されて下流のＵターンパス１４に搬送される、いわゆる分離部が構成される。
【００１６】
ピックアップローラ１０は支持部材であるピックアップアーム１６を介して分離ローラ５の回転軸である分離軸２８を中心に原稿載置台２に対して接離する方向に旋回自在に支持されている。このピックアップアーム１６の回動端にピックアップローラ１０が回転自在に保持されている。このピックアップアーム１６により、下ガイドフレーム２２の上方に配置されたピックアップローラ１０は、原稿Ｓの接離可能に保持される。原稿を送り出す際は、このピックアップアーム１６の下方回動に伴って原稿Ｓに回転しながら当接するようになっている。
【００１７】
また、分離パッド１５は分離パッド保持部材２６によって保持され、分離バネ２５のバネ圧によって分離ローラ５に対して圧接されている。分離パッド保持部材２６は、原稿の給送方向上流側の端部が本体フレーム２２ａに対して回転自在に支持され、下流端の回動端部付近が分離ローラ５に圧接されている。
【００１８】
この原稿給送装置１は、操作者が原稿Ｓを原稿載置台２に載置してセットするとき、原稿Ｓは原稿給送装置１に、図中、左右方向における右側から左側に向かって、かつ画像面を上側にしてセットされる。この原稿セットの際には、原稿Ｓの先端位置が原稿ストッパ９によって規制され、また原稿有無センサ６により原稿有りが検知される。なお、この原稿ストッパ９は、後述するようにピックアップアーム１６が下方回動すると、ピックアップアーム１６により押し下げられる。
【００１９】
Ｕターンパス１４の分離部より下流側に大径の原稿反転ローラ７が設けられ、この原稿反転ローラ７に沿って下方に方向転換され、画像読取部１Ｂを通過して原稿排出台３に排出される。原稿反転ローラ７周囲には第１〜第４搬送コロ１７〜２０が接触し、原稿反転ローラ７は、第１搬送コロ１７〜第４搬送コロ２０とともに原稿Ｓを挟持しながら下流側に搬送する。
【００２０】
Ｕターンパス１４の下流端側には、原稿Ｓを原稿排出台３に排出するための排出ローラ１１と、原稿Ｓの先端部および後端部を検出する原稿エッジセンサ８が設けられている。
【００２１】
画像読取部１Ｂは、読取ガラス１２と、読取ガラス１２の下方に設けられた密着型イメージセンサ１３とを備えている。この密着型イメージセンサ１３とは、光源としてのＬＥＤアレイ（図示せず）から原稿Ｓの画像情報面に光を照射し、画像情報面で反射した反射光をセルフォックレンズ（登録商標）でセンサ素子に結像して画像情報を読み取るセンサである。
【００２２】
そして、このような原稿読取装置１において、操作者が操作部（図示せず）から読取開始を指示すると、まず、モータ（図示せず）が回転してピックアップアーム１６が下方回動し、これにより原稿ストッパ６が押し下げられる。この後、ピックアップローラ１０が原稿載置台２に積載された原稿Ｓの最上位の原稿Ｓ１に当接し、この最上位の原稿Ｓ１を送り出す。
【００２３】
次に、この最上位の原稿Ｓ１は押し下げられた原稿ストッパ９の上端面を通り、分離ローラ５および分離バネ２５により分離ローラ５に押圧されている分離パッド１５によって他の原稿から分離され、Ｕターンパス１４の内部へと送り込まれる。さらに、このようにＵターンパス１４の内部へと送り込まれた原稿Ｓ１は、原稿反転ローラ７と対向するコロ１７〜１９によって、密着型イメージセンサ１３により画像情報が読み取られる読取位置に向かって搬送される。
【００２４】
次に、原稿エッジセンサ８により原稿Ｓ１の先端部が検知されると、その位置から所定
量搬送されたところで、密着型イメージセンサ１３による画像情報の読取が開始される。また、この後、原稿エッジセンサ８により原稿Ｓ１の後端部が検知されると、その位置から所定量搬送されたところで、密着型イメージセンサ１３による画像情報の読取を終了する。そして、排出ローラ１１によって原稿排出台３に排出される。
【００２５】
次に、本発明の分離パッド解除機構について、図２〜図５を用いて詳細に説明する。図２、図３において、ピックアップアーム１０と分離パッド保持部材２６には、ピックアップローラ１６の旋回移動に連動して互いに接離する圧接解除当接部として、転がり接触する解除コロ２３，２４が設けられている。
【００２６】
解除コロ２３については、その両端部２３ａ，２３ｂが、ピックアップアーム１６の回転支持部１６ａ，１６ｂに回転解除コロ２３の両端部２３ａ，２３ｂが回転可能に取り付けられている。また、解除コロ２４についても同様に、その両端部２４ａ，２４ｂが分離パッド保持部材２６の回転支持部２６ａ，２６ｂに回転可能に取り付けられている。ここで、解除コロ２３，２４は同形状、同材質である。
【００２７】
この解除コロ２３，２４は、ピックアップローラ１０が原稿載置台２上の原稿Ｓに圧接されている状態においては離間状態で、ピックアップローラ１０が原稿載置第２から離間する方向に所定角度旋回移動すると当接する。さらに、ピックアップローラ１０を離間方向に旋回することにより解除コロ２３，２４を介して分離パッド保持部材２６を押圧することにより分離パッド１５を分離ローラ５から離間可能となっている。
【００２８】
図４、図５を用いて原稿Ｓ２が分離部でジャムした時のジャム処理方法について説明する。
【００２９】
原稿Ｓ２のジャムが発生した場合には、まず、原稿上ガイド部材２７を、図４に示すように開放する。次に、ピックアップアーム１６を図中Ｘ方向に回転させると、解除コロ２３が解除コロ２４に当接する。さらに所定量回転させると、解除コロ２４が分離パッド保持部材２６と分離パッド１５とともに下方に押し下げられ、分離パッド１５の分離ローラ５への押圧が解除される。そして、原稿Ｓ２を機外へ取り出す際には、解除コロ２３、２４が回転し、原稿Ｓ２を傷つけることなく、容易にジャム処理をすることが可能となる。
【００３０】
なお、上述した実施形態においては、ピックアップアーム１６と分離パッド保持部材２６に設ける一対の圧接解除当接部との両方に転動自在の解除コロを設けた。しかしながら、必ずしも両方を解除コロとする必要はなく、片方を解除コロとし、他方を滑り接触する構成としてもよい。
【００３１】
また、シート材給送装置として、分離ローラに分離パッドを圧接する構成について説明したが、分離ローラに圧接する圧接部材としては、リタードローラのようなローラ接触構成でもよい。
【００３２】
例えば上述の実施形態においては、原稿読取装置に適用した場合について説明したが、原稿読取装置に限定されるものではなく、例えば複写機やプリンタなどのシート材に画像を形成する画像形成装置のシート給送部についても同様に適用することができる。
【図面の簡単な説明】
【００３３】
【図１】本発明の実施形態による原稿読取装置の斜視図である。
【図２】図１の原稿読取装置の概略構成を示す図である。
【図３】図２の分離パッドを解除する機構の斜視図である。
【図４】図２の構成において原稿ジャム処理時の動作説明図である。
【図５】図４の原稿ジャム処理時の分離パッドを解除する機構の斜視図である。
【図６】分離パッド解除機構の従来例である。
【符号の説明】
【００３４】
１  原稿給送装置（シート給送装置）
１Ａ  給送装置本体
１Ｂ  画像読取部
２  原稿載置台（シート載置台）
５  分離ローラ
７  原稿反転ローラ
１０  ピックアップローラ（給送手段）
１１  排出ローラ
１２  読取ガラス
１３  密着型イメージセンサ
１４  原稿搬送路
１５  分離パッド（圧接部材）
１６  ピックアップアーム（給送手段支持部材）
１７〜２０  第１〜第４搬送コロ
２１  排出コロ
２３、２４  解除コロ（圧接解除当接部）
２５  分離バネ
２６  分離パッド保持部材
２８  分離軸
Ｓ  原稿（シート）
【図１】
2007176679.tif 000003
【図２】
2007176679.tif 000004
【図３】
2007176679.tif 000005
【図４】
2007176679.tif 000006
【図５】
2007176679.tif 000007
【図６】
2007176679.tif 000008